(57)【要約】【課題】廃棄が容易で、輸送時の薬剤の温度を保つことができる薬剤包装袋を提供する。【解決手段】薬剤Ｍの輸送に用いられる薬剤包装袋１は、封筒状に形成された外袋１０と、封筒状に形成され、外袋１０に収容される内袋２０と、を有している。外袋１０の開口部１５と内袋２０の開口部２５とが同一方向に向けられている。外袋１０が、外面に多数の気泡部１０ａが設けられた気泡緩衝材シートで構成されている。内袋２０が、発泡ポリエチレンシートで構成されている。【選択図】図３
0003228456.tif 000002
【実用新案登録請求の範囲】
【請求項１】
薬剤の輸送に用いられる薬剤包装袋であって、
封筒状に形成された外袋と、
封筒状または矩形シート状に形成され、前記外袋に収容される一重または二重の内袋と、を有し、
前記外袋が、一方の面に多数の気泡部が設けられた気泡緩衝材シートで構成され、
前記内袋が、発泡ポリエチレンシートで構成されていることを特徴とする薬剤包装袋。
【請求項２】
前記外袋の外面に前記多数の気泡部が配置され、前記外袋の内面が平面である、請求項１に記載の薬剤包装袋。
【請求項３】
前記外袋の開口部と前記内袋の開口部とが同一方向に向けられている、請求項１または請求項２に記載の薬剤包装袋。
【請求項４】
前記外袋のフラップには、両面テープが貼付されている、請求項１〜請求項３のいずれか一項に記載の薬剤包装袋。
【請求項５】
薬剤の輸送に用いられる薬剤包装袋であって、
封筒状または矩形シート状に形成され、発泡ポリエチレンシートで構成された袋のみ有していることを特徴とする薬剤包装袋。
【考案の詳細な説明】
【技術分野】
【０００１】
本考案は、例えば、薬局で調剤された薬剤の輸送に用いられる薬剤包装袋に関する。
【背景技術】
【０００２】
医師より処方された処方箋を基に薬局で調剤された薬剤を、服用者の自宅まで届けるサービスが始まっている。このような薬剤の輸送に使用可能な袋が、例えば、特許文献１に開示されている。
【０００３】
特許文献１に開示されている緩衝梱包袋は、長方形の表面側壁体と裏面側壁体とを対向させ、開口部となる一辺を残して周縁部となる三辺を接合して形成されている。表面側壁体は、内側フィルムと外側フィルムとを重ね合わせて形成されており、内側フィルムと外側フィルムとを、それらの周縁部および当該周縁部より内側の一部を互いに接合して、内側フィルムと外側フィルムとの間に緩衝気体用空間を設けている。裏面側壁体も、表面側壁体と同様に形成している。
【先行技術文献】
【特許文献】
【０００４】
【特許文献１】特開２０１７−３９５２３号公報
【考案の概要】
【考案が解決しようとする課題】
【０００５】
薬剤の輸送には、輸送時の薬剤の温度を規定の範囲内に保つことが求められる。しかしながら、上記緩衝梱包袋は、輸送時の温度を保持する機能については十分に考慮されていない。薬剤の温度を保つために、例えば、発泡スチロールなどの保温用の箱容器を用いて薬剤を輸送することも考えられるが、このような容器は嵩張るため廃棄しづらい。また、輸送車両などに保温機能（冷蔵機能）を設ける方法もあるが、そのためにエネルギーを消費することとなり、エコロジーの観点から望ましいものとは言えない。
【０００６】
そこで、本考案は、廃棄が容易で、輸送時の薬剤の温度を保つことができる薬剤包装袋を提供することを課題とする。
【課題を解決するための手段】
【０００７】
上記課題を解決するために、本考案の一態様に係る薬剤包装袋は、薬剤の輸送に用いられる薬剤包装袋であって、封筒状に形成された外袋と、封筒状または矩形シート状に形成され、前記外袋に収容される一重または二重の内袋と、を有し、前記外袋が、一方の面に多数の気泡部が設けられた気泡緩衝材シートで構成され、前記内袋が、発泡ポリエチレンシートで構成されていることを特徴とする。
【０００８】
本考案において、前記外袋の外面に、前記多数の気泡部が配置され、前記外袋の内面が平面であることが好ましい。
【０００９】
本考案において、前記外袋の開口部と前記内袋の開口部とが同一方向に向けられていることが好ましい。
【００１０】
本考案において、前記外袋のフラップには、両面テープが貼付されていることが好ましい。
【００１１】
上記課題を解決するために本考案の他の一態様に係る薬剤包装袋は、薬剤の輸送に用いられる薬剤包装袋であって、封筒状または矩形シート状に形成され、発泡ポリエチレンシートで構成された袋のみ有していることを特徴とする。
【考案の効果】
【００１２】
本考案によれば、廃棄が容易で、輸送時の薬剤の温度を保つことができる。
【図面の簡単な説明】
【００１３】
【図１】本考案の一実施形態に係る薬剤包装袋の正面図である。
【図２】図１の薬剤包装袋の背面図である。
【図３】図１の薬剤包装袋の斜視図である。
【図４】図１の薬剤包装袋の分解図である。
【図５】図１の薬剤包装袋の変形例の構成を示す斜視図である。
【図６】図１の薬剤包装袋において、薬剤を包装する途中状態を示す斜視図である。
【図７】図１の薬剤包装袋において、薬剤を包装した状態を示す斜視図である。
【考案を実施するための形態】
【００１４】
以下に、本考案の一実施形態に係る薬剤包装袋について、図１〜図７を参照して説明する。
【００１５】
図１〜図３は、本発明の一実施形態に係る薬剤包装袋の正面図、背面図および斜視図である。図４は、図１の薬剤包装袋を外袋と内袋とに分解した図である。図５は、図１の薬剤包装袋の変形例の構成を示す斜視図であり、外袋と二重構造の内袋とを有する薬剤包装袋を示している。図６は、図１の薬剤包装袋において、薬剤を包装する途中の折り曲げ状態を示す斜視図である。図７は、図１の薬剤包装袋において、薬剤を包装した状態を示す斜視図である。
【００１６】
各図に示すように、本実施形態に係る薬剤包装袋１は、外袋１０と、内袋２０と、を有している。
【００１７】
外袋１０は、封筒状に形成されており、外袋本体部１１と、フラップ１４と、を有している。外袋本体部１１は、同一の矩形状を有する外袋正面部１２および外袋背面部１３を有している。外袋正面部１２および外袋背面部１３は、三辺（左右の辺および下辺）が接合されており、残りの一辺（上辺）に開口部１５が設けられている。外袋背面部１３の上辺に一体的にフラップ１４が連設されている。フラップ１４には、両面テープ１６が貼付されている。なお、外袋１０は、両面テープ１６を省略した構成としてもよい。
【００１８】
外袋１０は、外面に多数の半球形状の気泡部１０ａを有する透明色の合成樹脂製の気泡緩衝材シートで構成されている。外袋１０の内面は、平面である。ここで、「平面」とは突起物のない滑らかな面を含む概念である。なお、外袋１０は、内面に気泡部１０ａを有し、外面が平面であってもよい。本実施形態では、外袋１０は、基材となる気泡緩衝材シートから、外袋正面部１２、ならびに、外袋背面部１３およびフラップ１４を切り出し、これらの辺を熱溶着で接合することにより作製されている。これ以外にも、外袋１０は、基材から外袋正面部１２および外袋背面部１３を互いの一辺がつながった状態で切り出し、当該一辺を折り曲げるとともに他の辺を接合することにより作製してもよい。本実施形態において、気泡緩衝材シートは、ポリエチレンシートである。気泡緩衝材シートは、一方の面に多数の気泡部１０ａを有し、他方の面が平面である。気泡部１０ａは、例えば、直径が約１０ｍｍ、高さが約４ｍｍ、１ｍ２当たりの数が約８８００個である。
【００１９】
内袋２０は、封筒状に形成されており、内袋本体部２１と、フラップ２４と、を有している。内袋本体部２１は、同一の矩形状を有する内袋正面部２２および内袋背面部２３を有している。内袋正面部２２および内袋背面部２３は、三辺（左右の辺および下辺）が接合されており、残りの一辺（上辺）に開口部２５が設けられている。内袋背面部２３の上辺に一体的にフラップ２４が連設されている。なお、フラップ２４には、両面テープが貼付されていてもよい。内袋２０は、外袋本体部１１よりひとまわり小さい。内袋２０は、その開口部２５を外袋１０の開口部１５と同一方向（図３において上方）に向けて、外袋１０に収容されている。なお、内袋２０は、開口部２５を外袋１０の開口部１５と異なる方向に向けて、外袋１０に収容されていてもよい。内袋２０は、内袋本体部２１を薬剤Ｍのサイズに合わせて折り曲げた状態で外袋１０に収容されていてもよい。
【００２０】
内袋２０は、白色の発泡ポリエチレンシート（発泡ＰＥシート）で構成されている。本実施形態では、内袋２０は、基材となる発泡ポリエチレンシートから、内袋正面部２２および内袋背面部２３を切り出し、これらの辺を熱溶着で接合することにより作製されている。これ以外にも、外袋１０は、基材から内袋正面部２２および内袋背面部２３を互いの一辺がつながった状態で切り出し、当該一辺を折り曲げるとともに他の辺を接合することにより作製してもよい。本実施形態において、発泡ポリエチレンシートは、厚さが約３ｍｍ、１ｍ２当たりの重さが約８０ｇ、発泡倍率が３０〜３５倍である。
【００２１】
また、封筒状の上記内袋２０は一重構造であるが、図５に示す薬剤包装袋１Ａのように、内袋２０にひとまわり小さい内々袋３０を収容することにより、内袋２０を二重構造としてもよい。図５に示す薬剤包装袋１Ａの内袋２０は、封筒状の上記内袋２０においてフラップ２４を取り除いた矩形シート状に形成されている。ここで、「矩形シート状」とは、内側に薬剤を収容していない未使用状態において、内袋正面部２２と内袋背面部２３とが重なって一つの矩形のシート形状となるもののことをいう。内々袋３０の開口部３５は、内袋２０の開口部２５と同一方向（図５において上方）に向けられている。内々袋３０は、大きさが異なること以外は、矩形シート状の内袋２０と同じ構成を有している。なお、図５に示す薬剤包装袋１Ａにおいて、封筒状の内袋２０を用いてもよい。
【００２２】
薬剤包装袋１を用いた薬剤の包装作業では、まず、輸送する薬剤Ｍを内袋２０（内袋２０が二重構造の場合は内々袋３０）に入れる。必要に応じて、薬剤Ｍとともに保冷剤を入れてもよい。内袋２０のフラップ２４（具体的には、内袋背面部２３とフラップ２４との連設箇所）を折り曲げ、フラップ２４をテープで内袋正面部２２に貼り付けて開口部２５を封止する。次に、図６に示すように、外袋１０および内袋２０を、薬剤Ｍや保冷剤などの内容物のサイズに合わせて開口部１５より下方の箇所で折り曲げる。すなわち、外袋本体部１１および内袋本体部２１を折り曲げる。そして、図７に示すように、フラップ１４を両面テープ１６で外袋正面部１２に貼り付けて開口部１５を封止する。これにより、薬剤Ｍの包装作業が完了する。なお、図３に示すように、外袋１０にあらかじめ収容された内袋２０に薬剤Ｍを入れるようにしてもよい。また、外袋１０のフラップ１４（具体的には、外袋背面部１３とフラップ１４との連設箇所）を折り曲げ、フラップ１４を両面テープ１６で外袋正面部１２に貼り付けて開口部１５を封止するようにしてもよい。
【００２３】
以上より、本実施形態に係る薬剤包装袋１は、外面に多数の半球状の気泡部１０ａが設けられた気泡緩衝材シートで構成された外袋１０と、発泡ポリエチレンシートで構成され、外袋１０に収容される内袋２０と、を有している。このようにしたことから、気泡緩衝材の気泡部１０ａ、発泡ポリエチレンシート内部の気泡空間、および、外袋１０と内袋２０との間の空間、によって、外袋１０の外部の温度が内袋２０の内部まで伝わりにくくすることができる。また、気泡緩衝材シートおよび発泡ポリエチレンシートは、発泡スチロール製の箱容器などに比べて、嵩を小さくすることができる。そのため、薬剤包装袋１は、廃棄が容易で、輸送時の薬剤の温度を保つことができる。
【００２４】
また、外袋１０の外面に気泡部１０ａが配置され、外袋１０の内面が平面である。このようにすることで、外袋１０の内面が、気泡部１０ａなどの突起物のない滑らかな面となり、外袋１０に内袋２０を容易に収容することができる。
【００２５】
また、外袋１０の開口部１５と内袋２０の開口部２５とが同一方向に向けられている。このようにすることで、外袋１０にあらかじめ内袋２０が収容されていた場合に、薬剤Ｍを内袋２０に容易に入れることができる。
【００２６】
また、外袋１０のフラップ１４には、両面テープ１６が貼付されている。このようにすることで、外袋１０を封止するテープを別に用意する必要がなく、包装の作業性を高めることができる。
【００２７】
なお、上述した薬剤包装袋１は、外袋１０および内袋２０を有するものであったが、これ以外にも、薬剤包装袋は、発泡ポリエチレンシートで形成された、外袋１０と同様に本体部およびフラップを有する封筒状の袋（すなわち、封筒状の内袋２０と同じ構成の袋）のみで構成されていてもよい。または、薬剤包装袋は、発泡ポリエチレンシートで形成された、フラップのない矩形シート状の袋（すなわち、矩形シート状の内袋２０と同じ構成の袋）のみで構成されていてもよい。このような薬剤包装袋も、上述した薬剤包装袋１と同様の効果を奏する。
【００２８】
上記に本考案の実施形態を説明したが、本考案はこれらの例に限定されるものではない。前述の実施形態に対して、当業者が適宜、構成要素の追加、削除、設計変更を行ったものや、実施形態の特徴を適宜組み合わせたものも、本考案の趣旨に反しない限り、本考案の範囲に含まれる。
【００２９】
本考案者らは、以下に示す実施例および比較例の包装体を用いて、本考案の効果について検証を行った。
【００３０】
（実施例１）
実施例１は、上述した外袋１０、内袋２０および内々袋３０を有する薬剤包装袋を用いた。内々袋３０に凝固させた４００ｇの保冷剤（株式会社鳥繁産業製、ファインパック不織布４００ｇ（３５）規格品  １３５ｍｍ×２１０ｍｍ）および温度測定装置（株式会社ティアンドディ製、ＴＲ−５１Ａ）を入れ、内袋２０に内々袋３０を入れてフラップ２４を折り曲げ、フラップ２４を内袋正面部２２にガムテープ（幅５０ｍｍ）で貼り付けた。外袋１０に内袋２０を入れて、外袋１０、内袋２０および内々袋３０を開口部１５より下方の箇所で折り曲げ、フラップ１４を両面テープ１６で外袋正面部１２に貼り付けた。そして、薬剤包装袋を段ボール箱（６０サイズ）に入れて、段ボール箱を上記ガムテープで封止した。外袋１０は、ポリエチレン製の気泡緩衝材シート（株式会社ＪＳＰ製、キャプロン＃１０００ＮＬ）で作製され、大きさが縦２７５ｍｍ（フラップ１４の幅５０ｍｍを含む）、横２５０ｍｍである。内袋２０は、発泡ポリエチレンシート（株式会社ＪＳＰ製、ミラマット＃３１０）で作製され、大きさが縦２７０ｍｍ（フラップ２４の幅５０ｍｍを含む）、横２４０ｍｍである。内々袋３０は、発泡ポリエチレンシート（株式会社ＪＳＰ製、ミラマット＃３１０）で作製され、大きさが縦２５０ｍｍ、横２２０ｍｍである。
【００３１】
（実施例２）
実施例２は、実施例１の内袋２０のみを有する薬剤包装袋を用いた。内袋２０に上記保冷剤および上記温度測定装置を入れて、内袋２０を開口部２５より下方の箇所で折り曲げ、フラップ２４を内袋正面部２２に上記ガムテープで貼り付けた。そして、薬剤包装袋を上記段ボール箱に入れて、段ボール箱を上記ガムテープで封止した。
【００３２】
（実施例３）
実施例３は、実施例１の外袋１０および内袋２０を有する薬剤包装袋を用いた。内袋２０に上記保冷剤および上記温度測定装置を入れてフラップ２４を折り曲げ、フラップ２４を内袋正面部２２に上記ガムテープで貼り付けた。外袋１０に内袋２０を入れて、外袋１０および内袋２０を開口部１５より下方の箇所で折り曲げ、フラップ１４を両面テープ１６で外袋正面部１２に貼り付けた。そして、薬剤包装袋を上記段ボール箱に入れて、段ボール箱を上記ガムテープで封止した。
【００３３】
（実施例４）
実施例４は、４００ｇの保冷剤に代えて、２００ｇの保冷剤（株式会社鳥繁産業製、ファインパック不織布２００ｇ（５４）規格品  １３５ｍｍ×１５０ｍｍ）を用いたこと以外は、上記実施例１と同じ構成にした。
【００３４】
（実施例５）
実施例５は、上記段ボール箱に代えて、紙袋（ヤマト運輸株式会社製、クロネコ袋Ｂ４）を用いたこと以外は、上記実施例３と同じ構成にした。上記紙袋の開口部は上記ガムテープで封止した。
【００３５】
（比較例１）
比較例１は、実施例５で用いた上記紙袋に、上記保冷剤（４００ｇ）および上記温度測定装置を入れて、上記紙袋の開口部を上記ガムテープで封止した。そして、封止した紙袋を上記段ボール箱に入れて、段ボール箱を上記ガムテープで封止した。
【００３６】
（比較例２）
比較例２は、縦１５５ｍｍ、横２５０ｍｍ、高さ１５０ｍｍの発泡スチロール製の箱容器に上記保冷剤（４００ｇ）および上記測定装置を入れて上記ガムテープで封止した。
【００３７】
本考案者らは、これら実施例１〜５および比較例１、２を恒温槽に２０時間設置し、恒温槽を表１に示す温度および時間（３２℃で２時間、２９℃で５時間、２７℃で２時間、２５℃で４時間、２７℃で１時間、３３℃で２時間、３０℃で４時間）となるように制御して、実施例１〜５および比較例１、２の温度を定期的に測定した。表２に、実施例１〜５および比較例１、２の構成、各構成において測定された温度のうち最も高い温度（最高到達温度）、廃棄時の嵩（体積）の大きさ、および、判定結果を示す。
【００３８】
本考案者らは、以下の判定基準に基づいて判定を行った。
○…最高到達温度が３０℃以下でかつ嵩が小さい
×…最高到達温度が３０度超、または、嵩が大きい
【００３９】
【表１】
0003228456.tif 000003
【００４０】
【表２】
0003228456.tif 000004
【００４１】
表２に示すように、実施例１〜５では、最高到達温度が、順に２７．０℃、２９．０℃、２９．０℃、２９．５℃、２９．５℃となり、比較例１、２では、最高到達温度が、順に３３．０℃、２７．０℃となった。また、実施例１〜５および比較例１では、廃棄時の嵩が小さく、比較例２では、廃棄時の嵩が大きかった。このことから、本発明に係る実施例１〜５では、最高到達温度が３０℃以下でかつ嵩が小さく、良好な結果を得ることができた。特に、実施例４に示すように、内袋が二重構造の薬剤包装袋では、保冷剤を小さくしても温度を３０℃以下に保てることがわかった。また、実施例２に示すように、発泡ポリエチレンシート製の袋を１つのみ有する構成でも、温度を３０℃以下に保つことができ、廃棄物をより少なくできることがわかった。また、図５に示すように、段ボール箱に代えて、紙袋を用いた場合でも、温度を３０℃以下に保つことができ、輸送時の嵩を小さくすることができることがわかった。一方、比較例１では、嵩は小さいものの、温度を３０℃以下に保つことができなかった。比較例２では、温度を３０度以下に保つことができたが、嵩が大きくなってしまった。
【００４２】
これらの検証結果からも、本考案の効果を確認することができた。
【符号の説明】
【００４３】
１、１Ａ…薬剤包装袋
１０…外袋
１１…外袋本体部
１２…外袋正面部
１３…外袋背面部
１４…フラップ
１５…開口部
１６…両面テープ
２０…内袋
２１…内袋本体部
２２…内袋正面部
２３…内袋背面部
２４…フラップ
２５…開口部
３０…内々袋
３５…開口部
【図１】
0003228456.tif 000005
【図２】
0003228456.tif 000006
【図３】
0003228456.tif 000007
【図４】
0003228456.tif 000008
【図５】
0003228456.tif 000009
【図６】
0003228456.tif 000010
【図７】
0003228456.tif 000011